(57)【要約】【課題】組立作業性に優れ、持ち運ぶ際にも把持しやすい把手を備えた蓄電装置を提供する。【解決手段】本体４と、本体４の開口を覆う蓋体５とからなる外装体１と、外装体１に収容される蓄電素子２と、蓋体５に取り付けられるハンドル３と、を備える。蓋体５は、第１面と、第１面に隣接する第２面とを有する。ハンドル３は、一端側から他端側に延びるハンドル本体２５と、ハンドル本体２５の両端側にそれぞれ形成されるスライド部２６とを有する。第１面には、ハンドル本体２５を配置する。第２面には、スライド部２６をスライド可能に保持するスライド受部１６を形成する。【選択図】図１
2018063944.tif 000002
【特許請求の範囲】
【請求項１】
本体と、前記本体の開口を覆う蓋体とからなる外装体と、
前記外装体に収容される蓄電素子と、
前記蓋体に取り付けられるハンドルと、
を備え、
前記蓋体は、第１面と、前記第１面に隣接する第２面とを有し、
前記ハンドルは、一端側から他端側に延びるハンドル本体と、前記ハンドル本体の両端側にそれぞれ形成されるスライド部とを有し、
前記第１面には、前記ハンドル本体が配置され、
前記第２面には、前記スライド部をスライド可能に保持するスライド受部が形成されていることを特徴とする蓄電装置。
【請求項２】
前記蓋体は上面に凸部を有し、前記第１面は前記凸部の上面であり、前記第２面は前記凸部の側面であることを特徴とする請求項１に記載の蓄電装置。
【請求項３】
前記凸部の側面のうち、前記スライド受部が形成される側面は、前記蓋体の側面よりも平面視で内側に形成されていることを特徴とする請求項２に記載の蓄電装置。
【請求項４】
前記スライド受部は、前記蓋体の上面から内面側へ窪んだ凹部を含むことを特徴とする請求項１から３のいずれか１項に記載の蓄電装置。
【請求項５】
前記スライド部は、前記ハンドル本体の少なくとも一端側に、前記ハンドル本体が延びる方向と直交する方向に離間して配置される複数からなることを特徴とする請求項１から４のいずれか１項に記載の蓄電装置。
【請求項６】
前記スライド部は、前記ハンドル本体から等距離に配置されていることを特徴とする請求項５に記載の蓄電装置。
【請求項７】
前記スライド部は溝を有し、前記スライド受部は、前記溝にスライド可能に係合する爪部であることを特徴とする請求項１から６のいずれか１項に記載の蓄電装置。
【請求項８】
前記スライド部は、前記蓋体にスライド可能に支持される第１スライド部と、前記第１スライド部にスライド可能に支持される第２スライド部とを有することを特徴とする請求項１から７のいずれか１項に記載の蓄電装置。
【請求項９】
前記蓋体は、前記第１面に前記ハンドル本体を収容可能な第１溝部を備え、前記第２面に前記スライド部をスライド可能に保持して前記スライド受部を構成する第２溝部を備えることを特徴とする請求項１から８のいずれか１項に記載の蓄電装置。
【請求項１０】
前記蓋体は、前記第１面に前記第１溝部と隣接する第３溝部を備え、
前記第３溝部は、前記第１面の平面視において、前記ハンドル本体の長手方向と直交する方向における前記第１溝部の幅よりも大きい幅を有することを特徴とする請求項９に記載の蓄電装置。
【請求項１１】
前記第３溝部は、前記第１溝部の深さよりも深いことを特徴とする請求項１０に記載の蓄電装置。
【請求項１２】
前記蓋体は、上面から外部端子が突出し、前記蓋体の上面からの前記外部端子の突出寸法を前記凸部の突出寸法以下としたことを特徴とする請求項２又は３に記載の蓄電装置。
【請求項１３】
前記蓋体は、平面視矩形状であり、
前記ハンドル本体は、前記蓋体の短手方向に沿って配置されていることを特徴とする請求項１から１０のいずれか１項に記載の蓄電装置。
【発明の詳細な説明】
【技術分野】
【０００１】
本発明は、蓄電装置に関するものである。
【背景技術】
【０００２】
従来、蓄電装置として、容器の側面上方部分に凹部を形成し、この凹部に横断ピース（以下、把手と記載）の両端部を上下方向にスライド可能に取り付けたものが公知である（例えば、特許文献１参照）。
また、他の蓄電装置として、蓋の上面に形成した凹部に湾曲状態で引き出し可能に取手（以下、把手と記載）を設けたものが公知である（例えば、特許文献２参照）。
【先行技術文献】
【特許文献】
【０００３】
【特許文献１】特開昭６２−５２８５０号公報
【特許文献２】特開平１０−４０８９５号公報
【発明の概要】
【発明が解決しようとする課題】
【０００４】
しかしながら、特許文献１に開示される蓄電装置では、把手が蓋でなく、容器側に取り付けられている。このため、内部に蓄電素子を挿入する前に、予め把手を組み付けておくことができず、組立作業性が悪いという問題がある。
【０００５】
一方、特許文献２に開示される蓄電装置では、把手は蓋から湾曲させて引っ張り出すように構成されており、蓋との間に十分なスペースを形成するのが難しい。このため、把手をうまく掴んで持ち運びにくいという問題がある。特に、把手のスライド方向と持ち上げ方向が直交しているため、重量バランスの悪い蓄電装置の持ち運びには適していない。
【０００６】
そこで、本発明は、組立作業性に優れ、持ち運ぶ際にも把持しやすい把手を備えた蓄電装置を提供することを課題とする。
【課題を解決するための手段】
【０００７】
本発明は、前記課題を解決するための手段として、
本体と、前記本体の開口を覆う蓋体とからなる外装体と、
前記外装体に収容される蓄電素子と、
前記蓋体に取り付けられるハンドルと、
を備え、
前記蓋体は、第１面と、前記第１面に隣接する第２面とを有し、
前記ハンドルは、一端側から他端側に延びるハンドル本体と、前記ハンドル本体の両端側にそれぞれ形成されるスライド部とを有し、
前記第１面には、前記ハンドル本体が配置され、
前記第２面には、前記スライド部をスライド可能に保持するスライド受部が形成されていることを特徴とする蓄電装置を提供する。
【０００８】
この構成により、ハンドル本体を把持して持ち上げれば、スライド部がスライド受部をスライドし、ハンドル本体が蓋体の第１面から離間する。ハンドルは、予め蓋体に取り付けておくことができ、組立性に優れている。
【０００９】
前記蓋体は上面に凸部を有し、前記第１面は前記凸部の上面であり、前記第２面は前記凸部の側面であるのが好ましい。
【００１０】
この構成により、ハンドルを把持して持ち上げる際、その方向とスライド受部をスライドするスライド部の移動方向とを合致させることができ、動作をスムーズに行わせることが可能となる。
【００１１】
前記凸部の側面のうち、前記スライド受部が形成される側面は、前記蓋体の側面よりも平面視で内側に形成されているのが好ましい。
【００１２】
この構成により、ハンドルの蓋体からのはみ出し部分がなくなり、搬送時に他の部分に接触して損傷しにくく、車両への取付後も邪魔にならない。
【００１３】
前記スライド受部は、前記蓋体の上面から内面側へ窪んだ凹部を含むのが好ましい。
【００１４】
この構成により、簡単な構成でスライド部をスライド可能に保持することができる。また、ハンドルのスライド量（ストローク）を確保して把持しやすくなる。
【００１５】
前記スライド部は、前記ハンドル本体の少なくとも一端側に、前記ハンドル本体が延びる方向と直交する方向に離間して配置される複数からなるのが好ましい。
【００１６】
この構成により、ハンドルを把持して蓄電装置を持ち上げた際、支点を複数として安定した状態で運ぶことができる。
【００１７】
この場合、前記スライド部は、前記ハンドル本体から等距離に配置されているのが好ましい。
【００１８】
この構成により、スライド部を介してのハンドルによる支持状態を安定させることができる。
【００１９】
前記スライド部は溝を有し、前記スライド受部は、前記溝にスライド可能に係合する爪部であるのが好ましい。
【００２０】
この構成により、長溝に爪部を係合するだけで、蓋体に対してハンドルを簡単にスライド可能な状態に取り付けることができる。構造がシンプルで製造コストを上昇させることもない。
【００２１】
前記スライド部は、前記蓋体にスライド可能に支持される第１スライド部と、前記第１スライド部にスライド可能に支持される第２スライド部とを有するのが好ましい。
【００２２】
この構成により、ハンドルを把持して持ち上げる際の蓋体からのハンドル本体の移動距離を大きく取ることができる。これにより、蓋体とハンドル本体との間に十分な隙間を形成して、持ち運ぶ際にハンドルをしっかりと把持することが可能となる。
【００２３】
前記蓋体は、前記第１面に前記ハンドル本体を収容可能な第１溝部を備え、前記第２面に前記スライド部をスライド可能に保持して前記スライド受部を構成する第２溝部を備えるのが好ましい。
【００２４】
この構成により、ハンドル本体を第１溝部内に位置させて蓋体の第１面からのはみ出し部分をなくすことができる。また、スライド受部を第２面に形成した第２溝部で構成したので、スライド部のはみ出し部分をもなくすことができる。
【００２５】
前記蓋体は、前記第１面に前記第１溝部と隣接する第３溝部を備え、
前記第３溝部は、前記第１面の平面視において、前記ハンドル本体の長手方向と直交する方向における前記第１溝部の幅よりも大きい幅を有するのが好ましい。
【００２６】
この構成により、第３溝部を介してハンドルを掴みやすくなる。
【００２７】
前記第３溝部は、前記第１溝部の深さよりも深いのが好ましい。
【００２８】
この構成により、第３溝部に指を差し込みやすくなる。
【００２９】
前記蓋体は、上面から外部端子が突出し、前記蓋体の上面からの前記外部端子の突出寸法を前記凸部の突出寸法以下とするのが好ましい。
【００３０】
この構成により、外部端子が他の部分に接触しにくくなり、変形等の不具合を発生させることがない。
【００３１】
前記蓋体は、平面視矩形状であり、
前記ハンドル本体は、前記蓋体の短手方向に沿って配置されているのが好ましい。
【００３２】
この構成により、ハンドル本体を蓋体の長手方向に沿って設ける場合に比べて、ハンドルを把持して持ち上げた際、その支持状態をバランスのよい安定したものとすることができる。
【発明の効果】
【００３３】
本発明によれば、ハンドルを蓋体に取り付けるようにしたので、蓄電装置の組立工程で予め取付作業を完了することができ、組立性に優れている。また、蓋体の第１面に隣接する第２面に対して、ハンドルをスライド可能に支持するようにしたので、蓄電装置がコンパクトな構成であっても、ハンドルを掴みやすくすることができる。
【図面の簡単な説明】
【００３４】
【図１】本実施形態に係る蓄電装置の斜視図である。
【図２】図１に示す蓄電装置のケース本体、蓋体及びハンドルの分解斜視図である。
【図３】図２に示す蓋体にハンドルを組み付けた状態での正面図である。
【図４】他の実施形態に係る蓋体及びハンドルの組付状態での斜視図である。
【図５】他の実施形態に係る蓋体及びハンドルの組付状態での斜視図である。
【図６】他の実施形態に係る蓋体及びハンドルの組付状態での斜視図である。
【図７】他の実施形態に係る蓋体及びハンドルの分解斜視図である。
【図８】他の実施形態に係る蓋体及びハンドルの組付状態での斜視図である。
【図９】他の実施形態に係る蓋体及びハンドルの分解斜視図である。
【発明を実施するための形態】
【００３５】
以下、本発明に係る実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは相違している。
【００３６】
図１は、本実施形態に係る蓄電装置の外観を示す。この蓄電装置は、外装体１と、その内部に収容される複数の蓄電素子２と、外装体１に取り付けられるハンドル３と、を備える。
【００３７】
外装体１は、合成樹脂材料からなるケース本体４と蓋体５とで構成されている。
【００３８】
図２に示すように、ケース本体４は有底筒状で、平面視矩形状の底面部６と、その４辺から立ち上がって筒状となる４つの側面部７とで構成されている。４つの側面部７によって上端部分に上方開口部８が形成されている。
【００３９】
蓋体５は、平面視矩形状で、４辺から下方に向かって枠体９が延びている。蓋体５は、本体の上方開口部８を閉鎖する。蓋体５の上面には、外縁から内側部分に、凸部の一例として、平面視略Ｔ字形の突出部１０が形成されている。
【００４０】
突出部１０の上面１０ａ（特許請求の範囲における「第１面」に相当）中心部分には突出部１０を２分する第１溝部１１が形成されている。第１溝部１１の中間部分には、この第１溝部１１よりも若干深くなった逃がし凹部１２が形成され、両者は連通している。逃がし凹部１２は、溝部から両側にそれぞれ平面視で半円状に広がっている。
【００４１】
突出部１０の上面１０ａ（第１面）に対して直交して隣接する、第１側面１３（特許請求の範囲における「第２面」に相当）及びその反対側に位置する第２側面１４（特許請求の範囲における「第２面」に相当）には、第１溝部１１の両端部分が連通する第２溝部１５がそれぞれ形成されている。第２溝部１５は第１溝部１１に比べて十分に幅広で、その底面（上下方向に延びる側面）両側部分からは、スライド受部として機能する係止爪部１６がそれぞれ突出している。係止爪部１６は、所定間隔で突出する一対の係止片１７からなる。係止片１７は、先端外側（対向面とは反対側）に係止突部１７ａを備える。各係止片１７は、内側（対向側）へと弾性変形可能である。
【００４２】
突出部１０の第１側面１３（第２面）にそれぞれ直交する第３側面１８及び第４側面１９には、上下方向に延びる一対の係止溝２０が形成されている。各係止溝２０を利用して、後述する外部端子２ａを覆うカバー（図示せず）が装着される。
【００４３】
突出部１０の第２側面１４（第２面）に直交する側面の一方である第５側面２１には、カバー（図示せず）によって覆われる凹部２２が形成されている。凹部２２には、通信用コネクタ２３と、脱気用パイプ２４とが突出している。
【００４４】
蓋体５の上面では、突出部１０が形成されていない２箇所の隅部に挿通孔（図示せず）がそれぞれ形成されている。各挿通孔からは図示しないボルトがそれぞれ突出している。これらボルトによって外部端子２ａが固定されている。
【００４５】
図示しないが、蓄電素子２は、直方体形状のケース内にセパレータ、正極及び負極、非水電解質を収容したものである。蓄電素子２は、複数個が幅方向に並設された状態で外装体１内に収容され、正極及び負極に接続されたバスバーによって直列又は並列に接続されている。バスバーには、正極側及び負極側にそれぞれバスバーターミナルが接続されている。各バスバーターミナルにはボルトを介して外部端子２ａが固定されている。
【００４６】
ハンドル３は、合成樹脂材料からなり、一端側から他端側へと延びるハンドル本体２５と、その両端に形成されるスライド部２６とで構成されている。ハンドル３の構成としては、図２及び図３に示す構成のほか、図４から図９に示す種々の構成を採用することができる。
【００４７】
図２及び図３に示すハンドル３では、ハンドル本体２５は、一端側から他端側へと延びる直線状で、その幅、厚み及び長さは、蓋体５に形成した第１溝部１１に収容可能なサイズに設定されている。スライド部２６は、両側に係止受部２７がそれぞれ形成されている。各係止受部２７は、上下方向に延びる矩形状の係止凹部２８と、その底面中心に形成される係止孔２９とで構成されている。係止孔２９には突出部１０に形成した係止片１７が対向方向に弾性変形しながら挿通され、係止凹部２８内で形状復帰して係止突部１７ａが係止される。この状態では、係止突部１７ａが係止凹部２８に係止された状態で、係止片１７が係止孔２９内を上下方向に移動可能である。これにより、蓋体５に対してハンドル３が上下方向にスライド可能に支持される。
【００４８】
図４に示すハンドル３では、図２に示すものとはスライド部３０が２段構造となっている点で相違する。したがって、対応する部材については、図面中、同一符号を付してその説明を省略する。
【００４９】
スライド部３０は、蓋体５に支持される第１スライド部３１と、この第１スライド部３１に支持される第２スライド部３２とで構成されている。
【００５０】
第１スライド部３１は、平板部３３と、その両側に形成される第１係止受部３４とで構成されている。第１係止受部３４は、前記図２の係止受部２７と同様な構成であり、第１係止凹部３５と第１係止孔３６とが形成されている。第１係止凹部３５と第１係止孔３６には、突出部１０に形成される、前記係止爪部１６と同様な構成の第１係止爪部３７が係止される。これにより、第１スライド部３１は、蓋体５に対して上下方向にスライド可能に支持される。平板部３３の上方両側には、前記係止爪部１６と同様な構成の第２係止爪部３８がそれぞれ形成されている。
【００５１】
第２スライド部３２は、両側に第２係止受部３９を備え、第１スライド部３１の第１係止受部３４の間に配置される。第２係止受部３９は、前記係止受部２７と同様な構成で、第２係止凹部４０と第２係止孔４１とが形成されている。第２係止凹部４０及び第２係止孔４１には、第１スライド部３１に形成した第２係止爪部３８が係止される。これにより、第２スライド部３２は第１スライド部３１に対して上下方向にスライド可能に支持される。
【００５２】
このように、蓋体５の突出部１０に対して第１スライド部３１が上下方向にスライド可能に支持され、この第１スライド部３１に第２スライド部３２が上下方向にスライド可能に支持される２段構造となっている。したがって、蓋体５からのハンドル３の引き出し量を大きくして把持しやすくなっている。
【００５３】
図５に示すハンドル３では、Ｔ字形状のハンドル本体４２を備える。ハンドル本体４２の３つの端部には、スライド部４３がそれぞれ形成されている。各スライド部４３は、図２に示すスライド部２６の一方の係止受部２７のみで構成されている。これに伴い、蓋体５の突出部１０には、第２側面１４（第２面）、第３側面１８（特許請求の範囲における「第２面」に相当）及び第４側面１９（特許請求の範囲における「第２面」に相当）に上下方向に延びる第２溝部４４がそれぞれ形成され、そこには係止爪部１６がそれぞれ１つずつ形成されている。
【００５４】
図６に示すハンドル３では、図５に示すものとは２段構造のスライド部４５を備えている点で相違する。したがって、対応する部材については、図面中、同一符号を付してその説明を省略する。
【００５５】
突出部１０の第３側面１８（第２面）及び第４側面１９（第２面）には第１スライド部４６がそれぞれ配置されている。第１スライド部４６では、平板部４７の第１側面１３側の片面半分に係止受部４８が形成されている。係止受部４８は、前記係止受部２７と同様に、係止凹部４９と係止孔５０とを有する構造で、そこには第３側面１８（第２面）及び第４側面１９（第２面）にそれぞれ形成した係止爪部５１が係止されている。これにより、第１スライド部４６は、蓋体５に対して上下方向にスライド可能に支持される。また平板部４７の片面の残る半分には係止爪部５２が形成されている。
【００５６】
突出部１０の第２側面１４（第２面）には第２スライド部５３が配置されている。第２スライド部５３は、前記図４に示す第１係止受部３４と同様な構成である。また、前記図５に示すものと同様なＴ字形状のハンドル本体２５を備え、各端部には第３スライド部５４がそれぞれ形成されている。第３スライド部５４は、前記図５に示すスライド部４３と同様な構成である。
【００５７】
図７に示すハンドル３では、図２に示すものとは、スライド寸法を大きくするために、蓋体５の上面から下面を超えて下方側へと突出する凹部が形成されている点で相違する。したがって、対応する部材については、図面中、同一符号を付してその説明を省略する。
【００５８】
蓋体５には、突出部１０の第１側面１３（第２面）及び第２側面１４（第２面）にそれぞれ形成した第２溝部１５に沿って下面側より突出する、すなわち蓋体５の上面から内面側に窪んだガイド凹部５５が形成されている。スライド部５６は、ガイド凹部５５によって窪んだ長さ分、図２に示すものに比べて上下方向の寸法が大きくなっている。これにより、ハンドル本体２５を把持して蓋体５に対してハンドル３を引き上げると、ガイド凹部５５によって伸長された分、ハンドル３のストロークを長くすることができ、突出部１０の上面１０ａ（第１面）とハンドル本体２５の下面との間に十分なスペースを形成することが可能となる。
【００５９】
図８に示すハンドル３では、図６に示すものとは、第１スライド部４６の係止受部４８と第３スライド部５４の位置が逆側となっている点で相違する。したがって、対応する部材については、図面中、同一符号を付してその説明を省略する。
【００６０】
第１スライド部４６は第１側面１３側に配置され、第３スライド部５４が第１側面１３とは反対側に配置されている。この構成によれば、ハンドル本体２５を把持してハンドル３を持ち上げた際、支点となる第１スライド部４６の位置を、第１側面１３側に近く、より第２側面１４（第２面）から離れた位置とすることができる。
【００６１】
図９に示すハンドル３では、図５に示すものとは、スライド寸法を大きくするために、図７に示すのと同様な凹部が形成されている点で相違する。したがって、対応する部材については、図面中、同一符号を付してその説明を省略する。
【００６２】
蓋体５には、第２溝部４４に沿って下面側より突出するガイド凹部５７がそれぞれ形成されている。この構成によっても、前記図７に示すハンドル３と同様に、そのストロークを十分に長くとることができる。
【００６３】
前記構成からなるハンドル３では、蓄電装置を車両に取り付けたり取り外したりする場合に、蓋体５からハンドル３を引き出して把持することにより蓄電装置を容易に搬送することができる。また、ハンドル３の引き出し位置は、脱気用パイプ２４の排気方向とは離れた位置にあり、把持状態で手に熱風が吹き付けられることが回避されている。
【００６４】
図２及び図３に示すハンドル３によれば、逃がし凹部１２（第１溝部１１、第２溝部１５に関連して「第３溝部」とする）を介して指を差し込み、ハンドル本体２５を把持して持ち上げることができる。蓋体５の平面視において、ハンドル本体２５の長手方向と直交する方向における逃がし凹部１２の幅は、第１溝部１１の幅よりも大きく形成されている。逃がし凹部１２の深さは、第１溝部１１と同じ深さとすることも可能であるし、さらに好ましくは第１溝部１１よりも深い深さとすることができる。これにより、指を逃がし凹部１２に差し込みやすくなる。また、本実施形態の全てにおいて、逃がし凹部１２はハンドル本体２５を挟んで両側に形成したが、どちらか片方のみに形成することもできる。さらに、突出部１０の平面視において、逃がし凹部１２は本実施形態の全てにおいて半円形状としたが、矩形状等、様々な形状とすることができる。
【００６５】
ハンドル本体２５を持ち上げると、両端部のスライド部２６が第１側面１３（第２面）及び第２側面１４（第２面）に形成した第２溝部１５に沿って上方にスライド移動する。つまり、ハンドル本体２５の持ち上げ方向と、スライド部２６のスライド方向とが合致し、スムーズな動作を実現できる。また、ハンドル３を支持する位置は、ハンドル本体２５の両端部に設けたスライド部２６の両側に形成される係止受部２７であり、４箇所である。したがって、たとえ外装体１内に収容された蓄電素子２の重心位置がずれていたとしても、ハンドル３を把持して持ち上げた状態を安定させることができる。
【００６６】
図４に示すハンドル３によれば、スライド部２６を２段構造としているので、ハンドル本体２５を把持して持ち上げる際のストロークを、図２のように１段構造としているものに比べて十分に長くすることができる。これにより、突出部１０の上面１０ａ（第１面）とハンドル本体２５の下面との間に十分な間隔を形成することができる。つまり、図２に示す構成で得られる効果に加え、使用者が指を差し込みやすくなり、把持した状態では、指が突出部１０の上面１０ａ（第１面）に接触することがないので、蓄電装置の搬送中に指に痛みを感じにくいという効果が得られる。
【００６７】
図５に示すハンドル３によれば、支持する位置を３箇所に分散させることができ、ハンドル本体２５を把持して持ち上げた状態を安定させることができる。各支持位置を１組の係止受部２７と係止爪部１６で構成することができるので、支持構造を簡略化して動作不良を発生しにくくすることが可能となる。
【００６８】
図６に示すハンドル３によれば、３箇所の安定した支持構造でストロークを十分に取ることができるので、ハンドル本体２５を把持して持ち上げた状態を安定させつつ、使用者が指を差し込みやすくなり、把持した状態で指に痛みを感じにくくすることができる。
【００６９】
図７に示すハンドル３によれば、蓋体５にガイド凹部５５を形成するだけのシンプルな構成で、ハンドル側に前述の２段構造のような複雑な構成は不要とすることができる。これにより、コストを抑えつつ、ハンドル３のストロークを十分なものとして、使用者が指を差し込みやすくなると共に、把持状態を安定させることができる。
【００７０】
図８に示すハンドル３によれば、図６に示すものに比べて支持位置を離間させることができ、さらに支持状態を安定させることが可能となる。具体的に、Ｔ字型のハンドル本体２５のうちＴ字型の縦棒に相当し、第３スライド部５４と接続されるハンドルの一部を、図６に示す実施形態のハンドル３の一部よりも長くできる。これにより、使用者がハンドル本体２５を手で掴み易くなる。
【００７１】
図９に示すハンドル３によれば、図６や図８のようにハンドル３側の構造が複雑化することがなく、蓋体５側にガイド凹部５７を形成するだけのシンプルな構成で、上下方向のストロークを増大させることができる。
【００７２】
なお、本発明は、前記実施形態に記載された構成に限定されるものではなく、種々の変更が可能である。
【００７３】
前記実施形態では、ハンドル本体２５を直線状又はＴ字状としたが、Ｈ字状等にさらに分岐した構成とすることも可能である。これによれば、ハンドル３を支持する位置をさらに増やして安定した状態で蓄電装置を搬送することが可能となる。
【００７４】
前記実施形態では、スライド部２６を１又は２段構造としたが、３段構造以上とすることも可能である。これによれば、さらにハンドル３の上下方向のストロークを増大させることができ、より一層ハンドルを掴んで蓄電装置を搬送しやすくすることが可能となる。
【符号の説明】
【００７５】
１…外装体
２…蓄電素子
２ａ…外部端子
３…ハンドル
４…ケース本体（本体）
５…蓋体
６…底面部
７…側面部
８…上方開口部
９…枠体
１０…突出部
１０ａ…上面
１１…第１溝部
１２…逃がし凹部
１３…第１側面
１４…第２側面
１５…第２溝部
１６…係止爪部（スライド受部）
１７…係止片
１７ａ…係止突部
１８…第３側面
１９…第４側面
２０…係止溝
２１…第５側面
２２…凹部
２３…通信用コネクタ
２４…脱気用パイプ
２５…ハンドル本体
２６…スライド部
２７…係止受部
２８…係止凹部
２９…係止孔
３０…スライド部
３１…第１スライド部
３２…第２スライド部
３３…平板部
３４…第１係止受部
３５…第１係止凹部
３６…第１係止孔
３７…第１係止爪部
３８…第２係止爪部
３９…第２係止受部
４０…第２係止凹部
４１…第２係止孔
４２…ハンドル本体
４３…スライド部
４４…第２溝部
４５…スライド部
４６…第１スライド部
４７…平板部
４８…係止受部
４９…係止凹部
５０…係止孔
５１…係止爪部
５２…係止爪部
５３…第２スライド部
５４…第３スライド部
５５…ガイド凹部
５６…スライド部
５７…ガイド凹部
【図１】
2018063944.tif 000003
【図２】
2018063944.tif 000004
【図３】
2018063944.tif 000005
【図４】
2018063944.tif 000006
【図５】
2018063944.tif 000007
【図６】
2018063944.tif 000008
【図７】
2018063944.tif 000009
【図８】
2018063944.tif 000010
【図９】
2018063944.tif 000011